(57)【要約】      （修正有）【課題】演奏メロディ及び／又は使用ゴングに応じて、ユーザが特定使用状況を区別できるようにすることにより、聴覚表示器を有する計時器をより汎用性のあるものにする。【解決手段】打鐘計時器は、ムーブメント、及び制御機構２０を有する聴覚表示機構１０を備え、制御機構２０は、それぞれゴングを打つように構成したハンマ２を作動させる制御リフト１を動かすことによって鐘又はメロディの実施を制御し、各制御リフト１は、解放位置と静止位置との間を移動可能であり、解放位置では、制御リフト１は制御機構２０から分離し、静止位置では、制御機構２０によって制御リフト１を駆動してハンマ２を作動させることができ、制御機構２０は、ムーブメント又は手操作動器によって、１つの特定の鐘又はメロディを選択するメロディ選択デバイス５０によって制御し、各制御リフト１の解放位置から静止位置までの通過又はその逆の通過を制御する。【選択図】図１
2017049248.tif 000002
【特許請求の範囲】
【請求項１】
計時器ムーブメント（３０）及びユーザが作動可能な手動制御部（４０）を備え、制御機構（２０）を有する少なくとも１つの聴覚表示機構（１０）を備える打鐘計時器（１００）であって、前記制御機構（２０）は、ゴングを打つように構成した少なくとも１つのハンマ（２）を作動させる少なくとも１つの制御リフト（１）を動かすことによって、少なくとも１つの鐘又はメロディの実施を制御するように構成し、少なくとも１つの前記制御リフト（１）は、少なくとも１つの解放位置と静止位置との間を移動可能であり、前記解放位置では、前記制御リフト（１）は、前記制御機構（２０）から分離し、前記静止位置では、前記制御リフト（１）は、前記ハンマ（２）を作動させるために前記制御機構（２０）によって駆動することができ、前記制御機構（２０）は、前記計時器ムーブメント（３０）、又は前記手動制御部（４０）の一部を形成する作動器（４５）のいずれかによって動かし、前記計時器（１００）は、少なくとも１つの特定の鐘又はメロディを選択するメロディ選択デバイス（５０）も備え、前記メロディ選択デバイス（５０）は、前記計時器ムーブメント（３０）、又は前記手動制御部（４０）の一部を形成する選択器（４６）のいずれかによって制御し、前記メロディ選択デバイス（５０）は、前記少なくとも１つの制御リフト（１）の前記解放位置から前記静止位置までの通過、又はその逆の通過を制御するように構成し、前記聴覚表示機構（１０）は、互いに平行で、前記制御リフト（１）を中に配置したリフト平面に平行である複数の制御レベルを備え、前記制御レベルのそれぞれには、前記制御機構（２０）は、制御部（２１）を備え、前記制御部（２１）は、前記計時器ムーブメント（３０）又は前記作動器（４５）によって前記制御部（２１）を動かすと、前記静止位置に位置し前記制御部（２１）の前記制御レベルと同一平面のリフト平面内にある少なくとも１つの前記制御リフト（１）を駆動するように構成する、鐘計時器（１００）において、前記メロディ選択デバイス（５０）は、所与のリフト平面において、前記制御部（２１）によって制御する前記各制御リフト（１）の前記解放位置又は前記静止位置の一方からもう一方までの通過を同時に制御するように構成し、前記制御部（２１）は、前記所与のリフト平面を制御する前記制御レベルに位置することを特徴とする、鐘計時器（１００）。
【請求項２】
前記制御レベルの少なくとも１つの前記制御部（２１）は、全てが前記制御部（２１）の前記制御レベルと同一平面の同じリフト平面に位置する複数の前記制御リフト（１）を駆動するように構成することを特徴とする、請求項１に記載の計時器（１００）。
【請求項３】
前記制御レベルの少なくとも１つの前記制御部（２１）は、少なくとも２つの異なるリフト平面に位置する前記複数の制御リフト（１）を駆動するように構成することを特徴とする、請求項１に記載の計時器（１００）。
【請求項４】
前記メロディ選択デバイス（５０）は、前記所与のリフト平面において、前記リフト平面の一部を形成する各前記制御リフト（１）の前記解放位置から前記静止位置までの通過又はその逆の通過を同時に制御するように構成し、前記制御リフト（１）が、前記所与のリフト平面を制御する前記制御レベルに位置する前記制御部（２１）と相互作用しない自由状態であるときは常に、前記所与のリフト平面の一部を形成する全ての前記制御リフト（１）は、前記解放位置又は前記静止位置のいずれかにあるようにすることを特徴とする、請求項１に記載の計時器（１００）。
【請求項５】
前記メロディ選択デバイス（５０）は、異なるリフト平面に位置し対を一緒に形成する２つの前記制御リフト（１）を同時に制御するように構成し、前記対の前記制御リフト（１）の一方が前記解放位置にある場合、前記対の前記制御リフト（１）のもう一方は、前記静止位置にあるようにすることを特徴とする、請求項１に記載の計時器（１００）。
【請求項６】
少なくとも１つの前記制御レベル上では、前記制御部（２１）と協働する全ての前記制御リフト（１）は、異なるリフト平面内に配置し、２つずつ前記対を形成し、各対の前記制御リフト（１）の一方が前記解放位置にある場合、前記同じ対の前記制御リフト（１）のもう一方は、前記静止位置にあるようにすることを特徴とする、請求項５に記載の計時器（１００）。
【請求項７】
前記メロディ選択デバイス（５０）は、選択段内を移動可能である少なくとも１つの操作棒（７）を備え、前記選択段内では、前記操作棒（７）は、前記所与のリフト平面の一部を形成する全ての前記制御リフト（１）と協働するように構成することを特徴とする、請求項１に記載の計時器（１００）。
【請求項８】
前記メロディ選択デバイス（５０）は、選択段内を移動可能である少なくとも１つの操作棒（７）を備え、前記選択段内では、前記操作棒（７）は、少なくとも２つの隣接し合う前記リフト平面の一部を形成する全ての前記制御リフト（１）と協働するように構成することを特徴とする、請求項７に記載の計時器（１００）。
【請求項９】
前記メロディ選択デバイス（５０）は、複数の前記操作棒（７）を備え、前記操作棒（７）は、前記選択段の中を移動可能であり、他の前記操作棒（７）に平行であることを特徴とする、請求項７に記載の計時器（１００）。
【請求項１０】
各前記操作棒（７）は、前記操作棒と協働するように構成した前記制御リフト（１）と同じ曲線間隔を有する隆起領域（７１）を備え、前記隆起領域はそれぞれ、対応する前記制御リフト（１）の周辺輪郭部（１４）と協働するように構成し、前記制御リフト（１）の枢動及び／又は並進移動による前記操作棒（７）と前記制御リフト（１）との相対移動の間、前記制御リフト（１）の位置を変更し、前記制御リフト（１）が前記解放位置にある場合に前記対応する制御リフト（１）を固定することを特徴とする、請求項７に記載の計時器（１００）。
【請求項１１】
前記操作棒（７）は、滑り子（８）上を案内される同心円形外形部（７２）を備え、前記滑り子（８）は、前記計時器（１００）の底板又は受けの一部を形成することを特徴とする、請求項１０に記載の計時器（１００）。
【請求項１２】
前記操作棒（７）は、前記滑り子（８）上を案内される真直ぐな平行外形部を備え、前記滑り子（８）は、前記計時器（１００）の底板又は受けの一部を形成することを特徴とする、請求項１０に記載の計時器（１００）。
【請求項１３】
所与のリフト平面において、いくつかの前記制御リフト（１）は、異なるハンマ平面に位置するハンマ（２）を作動するように構成し、前記異なるハンマ平面上で、前記ハンマ（２）は、異なるゴングを打つように構成することを特徴とする、請求項１に記載の計時器（１００）。
【請求項１４】
前記所与のリフト平面において、前記メロディ選択デバイス（５０）は、前記リフト平面の一部を形成する各前記制御リフト（１）の前記解放位置から前記静止位置までの通過又はその逆の通過を同時に制御するように構成すること、及び前記制御リフト（１）が、前記所与のリフト平面を制御する前記制御部（２１）と相互作用しない自由状態にあるときは、前記所与のリフト平面の一部を形成する前記制御リフト（１）のいくつかは、前記解放位置にあり、前記同じ所与の平面の一部を形成する他の前記制御リフト（１）は、前記静止位置にあることを特徴とする、請求項１に記載の計時器（１００）。
【請求項１５】
各前記制御リフト（１）は、前記制御リフト（１）を前記解放位置又は前記静止位置のいずれかに戻そうとする弾性復帰要素を備えることを特徴とする、請求項１に記載の計時器（１００）。
【請求項１６】
前記各制御リフト（１）は、前記各制御リフト（１）を前記静止位置に戻そうとする弾性復帰要素を備えることを特徴とする、請求項１５に記載の計時器（１００）。
【請求項１７】
各前記制御リフト（１）は、くちばし部（１１）を備え、前記くちばし部（１１）は、前記制御部（２１）と協働して、前記制御部（２１）の移動中に前記制御リフト（１）を駆動し、ハンマの停止部（３）に接して静止するように構成することを特徴とする、請求項１に記載の計時器（１００）。
【請求項１８】
各前記制御リフト（１）は、前記制御リフト（１）の周辺部（１４）上に、前記くちばし部（１１）から離間して、少なくとも１つの中空外形部を備え、前記少なくとも１つの中空外形部は、第１の翼部（１２）及び第２の翼部（１３）によって境界を定め、前記中空外形部は、前記メロディ選択デバイス（５０）に属する操作棒（７）の一部を形成する隆起区分（７１）と協働するように構成し、前記操作棒（７）は、各前記制御リフト（１）の位置変化を制御するように構成することを特徴とする、請求項１７に記載の計時器（１００）。
【請求項１９】
各前記ハンマ（２）は、少なくとも１つのハンマ停止部（３）を備え、前記少なくとも１つのハンマ停止部（３）は、少なくとも１つの前記制御リフト（１）によって変位するように構成することを特徴とする、請求項１に記載の計時器（１００）。
【請求項２０】
少なくとも１つの前記ハンマ（２）は、異なる前記制御リフト（１）によって変位するように構成したいくつかの前記ハンマ停止部（３）を備えることを特徴とする、請求項１９に記載の計時器（１００）。
【請求項２１】
少なくとも１つの前記ハンマ（２）は、異なるリフト平面に位置する異なる前記制御リフト（１）によって変位するように構成した少なくとも１つの前記ハンマ停止部（３）を備えることを特徴とする、請求項１９に記載の計時器（１００）。
【請求項２２】
前記手動制御部（４０）は、案内デバイス（６０）により前記メロディ選択デバイス（５０）を作動し、前記案内デバイス（６０）は、前記メロディ選択デバイス（５０）が選択段を有するのと同じ数の案内段を少なくとも備え、各前記選択段は、少なくとも１つの前記制御リフト（１）の位置を修正するように構成した操作棒（７）を備えることを特徴とする、請求項１に記載の計時器（１００）。
【請求項２３】
前記手動制御部（４０）は、制御レバー（４１）を備え、前記制御レバー（４１）は、フック（４２）の移動を制御して前記案内デバイス（６０）の一部を形成する多段円柱車（６１）のラチェット歯部（６２）を引っ張り、前記多段円柱車（６１）は、前記多段円柱車（６１）の各案内段の周辺部上に、交互の中実外形部（６３）及び中空外形部（６４）を備え、前記実外形部（６３）及び前記中空外形部（６４）に向かって、選択レバー（６５、６６）の指部（６７、６８）が弾性復帰デバイスによって復帰し、前記弾性復帰デバイスは、関節結合部により、少なくとも１つの前記操作棒（７５、７６）を前記対応する選択段から前記案内段まで駆動することを特徴とする、請求項２２に記載の計時器（１００）。
【請求項２４】
前記メロディ選択デバイス（５０）は、少なくとも２つの選択段を備え、各前記選択段は、少なくとも１つの前記制御リフト（１）の位置を修正するように構成した操作棒（７）を備え、前記操作棒（７）は、特定のカム外形部を備え、前記制御レベルの前記制御リフト（１）を制御する前記制御部（２１）及び前記操作棒（７）と協働する前記制御レベルの前記制御リフト（１）と組み合わせて、少なくとも１つの前記制御リフト（１）が前記静止位置にある場合に少なくとも１つの特定のメロディ・シーケンスを実施するか、又は前記制御レベルの全ての前記制御リフト（１）がそれぞれ前記解放位置にある場合に無音モードのままであることを特徴とする、請求項１に記載の計時器（１００）。
【請求項２５】
前記計時器（１００）は、オルゴールであることを特徴とする、請求項１に記載の計時器（１００）。
【請求項２６】
前記計時器（１００）は、時計であることを特徴とする、請求項１に記載の計時器（１００）。
【発明の詳細な説明】
【技術分野】
【０００１】
本発明は、打鐘計時器のための聴覚表示機構に関し、打鐘計時器は、計時器ムーブメント、及びユーザが操作可能な手動制御部を備え、制御機構を有する少なくとも１つの聴覚表示機構を備え、制御機構は、ゴングを打つように構成した少なくとも１つのハンマを作動させる少なくとも１つの制御リフトを動かすことによって鐘又はメロディの実施を制御するように構成し、少なくとも１つのいわゆる制御リフトは、少なくとも１つの解放位置と静止位置との間を移動可能であり、少なくとも１つの解放位置では、制御リフトは上記制御機構から分離し、静止位置では、制御リフトは、上記ハンマを作動させるために、上記制御機構によって駆動することができ、上記制御機構は、上記計時器ムーブメント、又は上記手動制御部の一部を形成する作動器のいずれかによって動かし、上記計時器は、少なくとも１つの特定の鐘又はメロディを選択するメロディ選択デバイスも備え、メロディ選択デバイスは、上記計時器ムーブメント、又は上記手動制御部の一部を形成する選択器によって制御し、上記メロディ選択デバイスは、上記少なくとも１つの制御リフトの解放位置から静止位置までの通過又はその逆の通過を制御するように構成し、上記聴覚表示機構は、互いに平行で、上記制御リフトを中に配置したリフト平面に平行である複数の制御レベルを備え、これらの制御レベルのそれぞれでは、上記制御機構は、制御部を備え、制御部は、上記制御部を上記計時器ムーブメント又は上記作動器によって動かすと、上記静止位置に位置し上記制御部の上記制御レベルと同一平面のリフト平面内にある少なくとも１つの上記制御リフトを駆動するように構成する。
【０００２】
本発明は、少なくとも１つのそのような聴覚表示機構を備える計時器又は時計にも関する。
【０００３】
本発明は、少なくとも１つのそのような聴覚表示機構を備えるオルゴールにも関する。
【０００４】
本発明は、聴覚表示器を備える計時器の分野、及びオルゴール又は同様のものの関連分野に関する。
【背景技術】
【０００５】
リピータ時打ち機構は、その多数の構成要素、並びに製造及び組立てに要する注意及び時間のために、特別な部品である。時打ち複雑機構は、少なくとも１８世紀以降公知であるが、１７６３年から２０世紀中盤の間の限られた数の刊行物の主題であっただけである。複雑機構、特に大型時打ちリピータ機構の当業者に周知である参照著作物は、論文「Ｌｅｓ  ｍｏｎｔｒｅｓ  ｃｏｍｐｌｉｑｕｅｅｓ」［複雑時計］、Ｆｒａｎｃｏｉｓ  Ｌｅｃｏｕｌｔｒｅ著、Ｅｄｉｔｉｏｎｓ  ｈｏｒｌｏｇｅｒｅｓ  ａ  Ｂｉｅｎｎｅ発行であり、本発明の説明を煩雑にしないように引用する。この論文は、全集「Ｔｈｅｏｒｉｅ  ｄ’ｈｏｒｌｏｇｅｒｉｅ」［時計製造理論］、Ｒｅｙｍｏｎｄｉｎ、Ｍｏｎｎｉｅｒ、Ｊｅａｎｎｅｒｅｔ、Ｐｅｌａｒａｔｔｉ著、スイスＦＥＴ（Ｆｅｄｅｒａｔｉｏｎ  ｄｅｓ  ｅｃｏｌｅｓ  ｔｅｃｈｎｉｑｕｅｓ）発行によって完全なものとなる。
【０００６】
打鐘時計は、過去、夜間の照明がないことを克服し、いつでも時間がわかるように発明された。
【０００７】
改良により、例えば、オルゴールで使用するもの等、穴のあいたディスク又はシリンダ又はピンにより制御される一連のものを所定順序で並置することによってメロディの実施が可能になった。
【０００８】
しかし、打鐘時計は、視覚表示時計が実現する全て、具体的には、日中／夜間、午前又は午後（ＡＭ／ＰＭ）の区別、いくつかの時間帯（ＧＭＴ）の間の区別、又は更に特定の尺度に従った及びユーザ選択による時間分類、を未だ可能にしていない。
【０００９】
ＭＯＮＴＲＥＳ  ＢＲＥＧＵＥＴ  ＳＡ名義の文献ＥＰ２４９８１４５Ａ１は、差異化した鐘及びリピータ時打ち組立体の段を有する時打ち機構を記載しており、この時打ち機構は、枢動筒を有する駆動プレートを備え、駆動プレートは、くちばし部の付いたクリックを支持し、このクリックは、ばねによって復帰し、時打ち制御機構と協働する戻り止めラチェット・ピンの作用下で移動可能であり、この段は、筒ラチェットを備え、この筒ラチェットは、筒の一部を形成する歯部のレベルで、クリックのくちばし部と協働するようにこの筒上で枢動し、このことにより、第１のハンマ駆動リフトと協働する第１のアワー・ラチェットに固定した筒ラチェットの枢動移動を可能にするか又は妨げる。この段は、同じ軸周りに枢動し上記時打ち機構のハンマ駆動リフトと協働する第２のアワー・ラチェットを備える。
【００１０】
ＣＨＲＩＳＴＯＰＨＥ  ＣＬＡＲＥＴ  ＳＡ名義の文献ＥＰ１７７０４５３Ａ１は、機械式計時器を記載しており、この機械式計時器は、第１の時間帯及び第２の時間帯のための時間表示機構を含み、時間表示機構は、選択により第１の時間帯又は第２の時間帯の時刻に対応する鐘を発生可能にする時打ちデバイスを備える。この時打ちデバイスは、制御要素によって制御する単一の時打ち香箱によりエネルギーを供給され、制御要素は、第１の時間帯及び第２の時間帯の時刻に対応する鐘を起動させることを目的とする。
【先行技術文献】
【特許文献】
【００１１】
【特許文献１】ＥＰ２４９８１４５Ａ１
【特許文献２】ＥＰ１７７０４５３Ａ１
【非特許文献】
【００１２】
【非特許文献１】論文「Ｌｅｓ  ｍｏｎｔｒｅｓ  ｃｏｍｐｌｉｑｕｅｅｓ」［複雑時計］、Ｆｒａｎｃｏｉｓ  Ｌｅｃｏｕｌｔｒｅ著、Ｅｄｉｔｉｏｎｓ  ｈｏｒｌｏｇｅｒｅｓ  ａ  Ｂｉｅｎｎｅ発行
【非特許文献２】全集「Ｔｈｅｏｒｉｅ  ｄ’ｈｏｒｌｏｇｅｒｉｅ」［時計製造理論］、Ｒｅｙｍｏｎｄｉｎ、Ｍｏｎｎｉｅｒ、Ｊｅａｎｎｅｒｅｔ、Ｐｅｌａｒａｔｔｉ著、スイスＦＥＴ（Ｆｅｄｅｒａｔｉｏｎ  ｄｅｓ  ｅｃｏｌｅｓ  ｔｅｃｈｎｉｑｕｅｓ）発行
【発明の概要】
【発明が解決しようとする課題】
【００１３】
本発明は、演奏メロディ及び／又は使用ゴングに応じて、ユーザが特定使用状況を区別できることにより、聴覚表示器を有する計時器、特に時計をより汎用性のあるものにすることを提案する。これらの改良は、オルゴールにも関する。
【課題を解決するための手段】
【００１４】
このために、本発明は、請求項１に記載の打鐘計時器のための聴覚表示機構に関する。
【００１５】
本発明は、少なくとも１つのそのような聴覚表示機構を備える計時器又は時計にも関する。
【００１６】
本発明は、少なくとも１つのそのような聴覚表示機構を備えるオルゴールにも関する。
【００１７】
本発明の他の特徴及び利点は、添付の図面を参照しながら以下の詳細な説明を読めば明らかになるであろう。
【図面の簡単な説明】
【００１８】
【図１】本発明による聴覚表示機構の概略平面図であり、聴覚表示機構は、聴覚表示機構を有する時打ち機構の一部及び制御機構を備え、制御機構は、図示しないゴングを打つように構成したハンマを作動させる制御リフトを動かすことによって少なくとも１つの鐘又はメロディの実施を制御するように構成する。制御機構を部分的に示す。計時器ムーブメント又はボルト（図示せず）によって移動可能な駆動車は、本明細書ではクォーター・アワー部である制御部を駆動し、制御部の歯部は、本発明に特有である解放可能リフトと協働するか又は協働せず、これらの解放可能リフトは、ユーザが選択した制御レバーの位置に応じて、円柱車によって推進又は引っ張られるアーチ形状操作棒の作用下、角度位置を変更することができる。図は、重ねられた２つのそのような棒を示し、上側棒は上側リフトを解放位置に保持する一方で、下側棒はリフトを静止位置にし、静止位置では、リフトは、ばね（図示せず）によって引っ張られ、これらのリフトのそれぞれの一部を形成するくちばし部は、リフトの回転中、鐘又はメロディを鳴らすために、クォーター・アワー部の歯部に干渉することができる。
【図２】クォーター・アワー部を取り外した、図１の同じ位置の機構の図である。
【図３】図１で丸く囲んだ細部の概略部分平面図であり、２つの重ねたリフトを示し、上側リフトは解放位置にあり、下側リフトは静止位置にあり、リフトのくちばし部は、クォーター・アワー部の歯部が変位する際に係合される状態にある。
【図４】ここでは推進位置で示す、対応するリフトに対する操作棒の作用の概略平面図であり、推進位置では、リフトは、クォーター・アワー部の歯部に干渉し、リフトのアームのうち１つは、ハンマ停止部に接して静止し、ハンマ停止部は、クォーター・アワー部の歯部が到着するとすぐにこのアームを枢動できる状況にあり、リフトは、図１の下側リフトに対応する。
【図５】ペンダントが操作棒の引込み位置内にあり、リフトが棒の隆起区分によって解放位置で保持されることを示す図であり、リフトは、図１の上側リフトに対応する。
【図６】円柱車による操作棒の制御の詳細図である。
【図７】本発明による機構を備える打鐘時計の図であり、時計は、メロディ選択デバイスを作動する選択器、選択したメロディの識別マークを表示可能にする開口、及びミニッツ・リピート鐘を発生させる、ボルトによって形成した作動器を備える。
【図８】等しく、時計であってもオルゴールであってもよい本発明による計時器のブロック図である。
【発明を実施するための形態】
【００１９】
本発明は、計時器、具体的且つ非制限的には時計又はオルゴールのための鐘又はメロディ選択機構を構成することを提案するものであり、この選択機構は、ユーザ及び／又は計時器ムーブメントによって容易に制御することができる。用語「打鐘機構」は、本明細書の以下において、打鐘機構又はメロディ実施機構を等しく示すために使用する。
【００２０】
時計の特定のケースでは、本発明は、特に計時器の中心を自由にし、選択機構をできる限りケースの周辺に移すことによって、できる限り最小の場所を占めようとするものである。この場所の節約は、計時器が、クォーター・アワー部等の制御部を従来技術よりも多く備えることを可能にし、より多くの数のハンマ及び鐘の使用を可能にすることも目的とする。本発明は、互いに平行な異なるレベル上での案内、選択、制御、操作及び演奏という構成に基づく。本発明は、これらの平行なレベルが全て平面である好ましい非制限的ケースにおいて説明する。
【００２１】
本発明は、音楽又は打鐘機構に関し、より詳細には、鐘及び／又はメロディ選択機構に関する。同じ出願人の特許出願ＥＰ１４１６９２１７．８及びＣＨ０７６９／１４を参照により本明細書に組み込む。これらの出願は、制御部、具体的にはクォーター・アワー部への作動による鐘又はメロディ選択機構を記載している。
【００２２】
本発明は、選択デバイスの作用下、ハンマ停止部を解放、移動可能にすることによって、ハンマ制御リフトへの作用による選択を提案する。
【００２３】
したがって、本発明は、計時器ムーブメント３０、及びユーザが操作可能な手動制御部４０を備える打鐘計時器１００に関する。この計時器１００は、制御機構２０を有する少なくとも１つの聴覚表示機構１０を備え、制御機構２０は、ゴングを打つように構成した少なくとも１つのハンマ２を作動させる少なくとも１つの制御リフト１を動かすことによって、少なくとも１つの鐘又はメロディの実施を制御するように構成する。
【００２４】
聴覚表示機構１０は、グランド・ソヌリ又はプチ・ソヌリ又はミニッツ・リピータ又はカリヨン又はアラーム機構、又は更にはオルゴール若しくは同様のものとすることができる。本明細書では、本発明を計時器のケースで説明するが、当業者であれば、説明をオルゴール又は他の同様の種類の機構に適合させることができるであろう。本明細書では、打鐘機構を専門とする当業者に周知である標準的な打鐘制御機構を詳細に説明しない。
【００２５】
本発明によれば、少なくとも１つのそのような制御リフト１は、少なくとも１つの解放位置と静止位置との間を移動可能であり、解放位置では、制御リフト１は、制御機構２０から分離し、静止位置では、制御リフト１は、制御機構２０によって、ハンマ２を作動させるために駆動することができ、制御機構２０は、計時器ムーブメント３０、又は手動制御部４０の一部を形成する作動器４５のいずれかによって動かされる。この作動器４５は、典型的にはボルト又は同様のものとすることができる。
【００２６】
計時器１００は、少なくとも１つの特定の鐘又はメロディを選択するためのメロディ選択デバイス５０も備え、メロディ選択デバイス５０は、計時器ムーブメント３０又は選択器４６によって制御し、選択器４６は、プッシュピース若しくは同様のもの等の手動制御部４０の一部を形成する。
【００２７】
これらのメロディ選択デバイス５０は、少なくとも１つのそのような制御リフト１の解放位置から静止位置への通過を制御し、その逆への通過も同様に制御するように構成する。
【００２８】
有利な構成では、聴覚表示機構１０は、複数の制御レベルを備え、複数の制御レベルは、互いに対し平行であり、制御リフト１を中に配置したリフト平面に平行である。こうした制御レベルのそれぞれでは、制御機構２０は、制御部２１を備え、制御部２１は、計時器ムーブメント３０又は作動器４５によって制御部２１を動かすと、少なくとも１つのそのような制御リフト１を駆動するように構成し、制御リフト１は、最初、上記静止位置に位置し、制御部２１の制御レベルと同一平面上のリフト平面内にある。制御レベルは、単一のリフト平面又はいくつかの異なるリフト平面のいずれかと協働することができる。
【００２９】
図を明快にするために、本発明は、クォーター・アワー部である単一の制御部２１で示し、単一の制御部２１は、ここでは、制御部２１の内側歯部２７によって駆動し、内側歯部２７は、時打ち香箱に接続した車２８によって駆動する。同じ車２８は、平行平面に沿って重ねた制御部のいくつかの内側歯部構成２７を駆動することができる。このクォーター・アワー部２１は、典型的には、そのくちばし部でスネイル（図示せず）に当接し、歯２６を備える歯部２５を備え、通路上にある制御リフト１を枢動させる。図１は、このクォーター・アワー部２１が、漸減半径ＲＤＡ、ＲＤＢ、ＲＤＣ、ＲＤＤを有する４つの歯付き区域を備えることを示し、ＲＤＡ、ＲＤＢ、ＲＤＣ、ＲＤＤはそれぞれ、制御リフト１と協働するように構成し、制御リフト１は、図２で見える同様に漸減する半径ＲＡ、ＲＢ、ＲＣ、ＲＤ上に位置する。したがって、クォーター・アワー打鐘機構同士の間、又は典型的なミニッツ・リピータ機構の場合はミニッツ打鐘機構への通路上に干渉が生じることがない。
【００３０】
より詳細には、そのような制御レベルの少なくとも１つのそのような制御部２１が複数のそのような制御リフト１を駆動するように構成し、そのような制御リフト１は全て、制御部２１の制御レベルと同じリフト平面に位置する。このことは、図に示す構成に当てはまる。図２は、上側リフト平面及び下側リフト平面を示しており、上側リフト平面には、全ての制御リフト１が、１Ｄを参照符号とする解放位置内に位置する制御リフト１を含み、下側リフト平面には、全ての制御リフト１が、１Ｒを参照符号とする静止位置内に位置する制御リフト１を含み、静止位置では、制御リフト１は、上側リフト平面及び下側リフト平面に共通の制御部２１と協働するか、又は上側リフト平面を制御する部品に平行な下側制御部２１と協働することができる。
【００３１】
一変形形態では、そのような制御レベルの少なくとも１つのそのような制御部２１は、少なくとも２つの異なるリフト平面に位置する複数の制御リフト１を駆動するように構成する。
【００３２】
有利には、メロディ選択デバイス５０は、所与のリフト平面において、制御部２１によって制御する各制御リフト１の上記解放位置又は上記静止位置の一方からもう一方までの通過を同時に制御するように構成し、制御部２１は、所与のリフト平面を制御する制御レベルに位置する。
【００３３】
特定の構成では、図面に示す例から明らかなように、メロディ選択デバイス５０は、所与のリフト平面において、リフト平面の一部を形成する各制御リフト１の上記解放位置から上記静止位置までの通過又はその逆の通過を同時に制御するように構成し、それにより、制御リフト１が、この所与のリフト平面を制御する制御レベルに位置する制御部２１と相互作用しない自由状態にあるときは常に、所与のリフト平面の一部を形成する全ての制御リフト１は、解放位置又は静止位置のいずれかにあるようにする。したがって、無音モード、又は打鐘シーケンス若しくはメロディの起動が生じる。
【００３４】
特定の構成では、図に示す例から明らかなように、メロディ選択デバイス５０は、異なるリフト平面に位置し一緒に対を形成する２つの制御リフト１を同時に制御するように構成し、それにより、対の制御リフト１の一方が上記解放位置にある場合、対の制御リフト１のもう一方は、静止位置にあるようにする。図２から明らかなように、これらのリフトは、下側リフト平面内の参照符号１Ｒ、及び上側リフト平面内の参照符号１Ｄを有する。したがって、同じ対の２つのリフト１Ｄ及び１Ｒを同じハンマ２の同じ停止部３上に静止するように構成した場合、この停止部３が一度に単一の制御リフト１によって推進されることが保証される。
【００３５】
同じ制御レベルが単一の制御部２１に対応するケースの有利な変形形態では、少なくともこの制御レベル上で、この制御部２１と協働する全ての制御リフト１は、少なくとも２つの異なるリフト平面、即ち本明細書で図示する構成では上側リフト平面及び下側リフト平面にわたって分散し、２つずつ、各対の制御リフト１の一方が解放位置にある場合に、同じ対の制御リフト１のもう一方が静止位置にあるような対を形成する。
【００３６】
当然ながら、特にカリヨン型適用例に対し、異なるシーケンスの基本メロディを組み合わせる及び／又は重ねることによって、あらゆる他の構成を達成することができる。
【００３７】
図示の非制限的な構成では、メロディ選択デバイス５０は、選択段内を移動可能である少なくとも１つの操作棒７を備え、選択段では、操作棒７は、そのような所与のリフト平面の一部を形成する全ての制御リフト１と協働するように構成する。
【００３８】
図示しない一変形形態では、メロディ選択デバイス５０は、選択段内を移動可能である少なくとも１つの操作棒７を備え、選択段では、操作棒７は、少なくとも２つの隣接リフト平面の一部を形成する全てのそのような制御リフト１と協働するように構成し、この場合、これらの制御リフトは、異なる対に属し、異なる制御段とも協働することができる。
【００３９】
メロディ選択デバイス５０は、好ましくは、複数のそのような操作棒７を備え、操作棒７は、それぞれそのような選択段の中を移動可能であり、他の操作棒７に平行である。したがって、図１及び図２は、４つのリフト位置Ａ、Ｂ、Ｃ、Ｄにわたり、上側リフト平面において制御リフト１を解放位置１Ｄで保持する上側棒７５、及び４つのリフト位置Ａ、Ｂ、Ｃ、Ｄにわたり、下側リフト平面において制御リフト１を静止位置１Ｒで保持する下側棒７６を示す。
【００４０】
好ましくは、図１及び図２に示すように、各そのような操作棒７、７５、７６は、この操作棒と協働するように構成した制御リフト１と同じ曲線間隔を有する隆起領域７１を備え、上記隆起領域はそれぞれ、対応する制御リフト１の周辺外形部１４と協働するように構成し、関係する制御リフト１に対し操作棒が相対的に移動する間、制御リフト１の枢動及び／又は並進移動によって、この制御リフト１の位置を変更し、図５で明らかであるように、この対応する制御リフト１が上記解放位置にある場合はこの制御リフト１を固定する。
【００４１】
図１及び図２に対応する非制限的構成では、操作棒７は、滑り子８上を案内される同心円形外形部７２を備え、滑り子８は、計時器１００の底板又は受けの一部を形成する。
【００４２】
制御リフト１は、好ましくは、そのような底板又はそのような受けに取り付けた案内要素（図示せず）に対して案内される。図の変形形態では、制御リフト１を枢動するように組み付けた場合、制御リフト１は、特に溝又は同様のものの中を並進移動させることにより、他の運動を採ることもできる。
【００４３】
図示しない別の構成では、操作棒７は、真直ぐな平行外形部を備え、そのような滑り子８又は他の同様の案内要素上を案内される。
【００４４】
特定の変形形態では、所与のリフト平面において、いくつかの制御リフト１は、異なるハンマ平面に位置するハンマ２を作動するように構成し、異なるハンマ平面のレベルでは、これらのハンマ２は、異なるゴングを打つように構成する。
【００４５】
特定の変形形態では、所与のリフト平面において、メロディ選択デバイス５０は、この所与のリフト平面の一部を形成する各制御リフト１の解放位置から静止位置への通過、又はその逆への通過も同時に制御するように構成する。制御リフトが、この所与の平面を制御する制御部２１と相互作用しない自由状態にあるときは常に、この所与のリフト平面の一部を形成するこれらの制御リフト１のいくつかは、解放位置にあり、同じ所与の平面の一部を形成するその他の制御リフト１は、静止位置にある。図１及び図２は、所与のリフト平面の全ての制御リフト１が解放位置又は静止位置のいずれかにある特定のケースを示す。
【００４６】
有利な変形形態では、各制御リフト１は、各制御リフト１をその解放位置又は静止位置のいずれかに戻そうとする弾性復帰要素を備える。
【００４７】
図示の特定の変形形態では、各制御リフト１は、各制御リフト１をその静止位置に戻そうとする弾性復帰要素を備える。
【００４８】
図示の特定の変形形態では、各制御リフト１は、くちばし部１１を備え、くちばし部１１は、制御部２１の歯部２５と協働して、制御部２１の移動中にこの制御リフト１を駆動し、停止部３に接して静止するように構成する。
【００４９】
図示の特定の変形形態では、各制御リフト１は、その周辺部１４上に、くちばし部１１から離間して、少なくとも１つの中空外形部を備え、少なくとも１つの中空外形部は、第１の翼部１２及び第２の翼部１３によって境界を定める。この中空外形部は、メロディ選択デバイス５０に属する操作棒７、７５、７６の一部を形成する隆起区分７１と協働するように構成し、この操作棒７は、各そのような制御リフト１の位置変化を制御するように構成する。
【００５０】
図４は、下側操作棒７６が推進位置にあり、下側制御リフト１が静止位置１Ｒにあることを示し、制御リフト１の一部を形成する第２の翼部１３の停止面３１３は、対応するハンマ２の停止部３に当接して静止する。
【００５１】
図５は、解放位置１Ｄにおいて、上側操作棒７５が引張り位置にあり、下側制御リフト１が解放位置１Ｄにあることを示し、この制御リフト１の一部を形成する第１の翼部１２及び第２の翼部１３は、雌二面角部を共に形成し、この雌二面角部は、堅持されることによって、側面７１２及び７１３と協働し、側面７１２及び７１３は、上側棒７５の対応する隆起区分７１の雄二面角部を共に形成する。
【００５２】
これら２つの図から、操作棒のうち１つが推進位置から引張り位置まで通過すると、隆起区分７１は、第１の翼部１２を推進し、対応する制御リフト１を枢動させ、この制御リフト１をその静止位置からその解放位置まで通過させることを理解されたい。操作棒が逆に移動すると、制御リフト１を解放し、制御リフト１は、その戻りばねによって静止位置に復帰し、静止位置では、第２の翼部１３は、ハンマ２の停止部３に接して静止する待機静止位置になる。
【００５３】
図３は、これら２つの制御リフト１の詳細図であって、２つの制御リフト１は、一方がもう一方の上部に重なり対を形成し、上側制御リフト１は解放位置１Ｄにあり、下側制御リフト１は静止位置１Ｒにあることを示し、下側制御リフト１のくちばし部１１Ｒは、制御部２１の対応する歯２６の半径ＲＤＡに対し堅持された状態にある。
【００５４】
各ハンマ２は、少なくとも１つのハンマ停止部３を備え、ハンマ停止部３は、少なくとも１つのそのような制御リフト１によって変位するように構成する。図示の変形形態では、この停止部３は、所与のリフト平面において単一の停止部である。
【００５５】
ハンマ２がいくつかの停止部３を有する場合、停止部３は、ハンマ２を形成する時打ち質量部（の上及び下の）両側に分配することができる。
【００５６】
図示しない別の変形形態では、少なくとも１つのそのようなハンマ２は、いくつかのそのようなハンマ停止部３を備え、ハンマ停止部３は、異なる制御リフト１によって変位するように構成する。
【００５７】
いくつかの停止部３をこの時打ち質量部の同じ側に有することも可能であり、いくつかの停止部３は、互いに同軸ではない制御リフト１と協働するように構成する。
【００５８】
更なる変形形態では、少なくとも１つのそのようなハンマ２は、少なくとも１つのそのようなハンマ停止部３を備え、ハンマ停止部３は、異なるリフト平面に位置するそのような異なる制御リフト１によって変位するように構成する。
【００５９】
図示の非制限的な変形形態では、手動制御部４０は、案内デバイス６０によってメロディ選択デバイス５０を作動させ、案内デバイス６０は、メロディ選択デバイス５０が選択段を有するのと同じ数の案内段を少なくとも備える。この場合、各そのような選択段は、少なくとも１つのそのような制御リフト１の位置を修正するように構成した操作棒７を備える。
【００６０】
図１及び図２の非制限的な構成では、手動制御部４０は、選択器４６を備え、選択器４６は、フック４２の移動を制御する制御レバー４１を駆動して、案内デバイス６０の一部を形成する多段円柱車６１のラチェット歯部６２を引っ張るように構成する。
【００６１】
この多段円柱車６１は、各案内段の周辺部上に、交互の中実外形部６３及び中空外形部６４を備え、これら中実外形部６３及び中空外形部６４に向かって、上側選択レバー６５又は下側選択レバー６６の上側指部６７又は下側指部６８がそれぞれ、弾性復帰デバイスによって復帰し、弾性復帰デバイスはそれぞれ、関節結合部又は同様のものにより、少なくとも１つのそのような上側操作棒７５又は下側操作棒７６を対応する選択段から関係する案内段まで駆動する。
【００６２】
好ましくは、図示の構成から明らかなように、メロディ選択デバイス５０は、少なくとも２つの選択段を備え、各選択段は、少なくとも１つのそのような制御リフト１の位置を修正するように構成した操作棒７、７５、７６を備え、操作棒７、７５、７６は、特定のカム外形部を備え、そのような制御レベルの制御リフト１を制御する制御部２１及び操作棒７、７５、７６と協働するそのような制御レベルの制御リフト１と組み合わせて、少なくとも１つのそのような制御リフト１が静止位置にある場合に少なくとも１つの特定のメロディ・シーケンスを実施するか、又は関係する制御レベルの全ての制御リフト１がそれぞれ解放位置にある場合に無音モードのままである。
【００６３】
特定の構成では、少なくとも１つのリフトは、制御リフトをその静止位置に戻そうとする少なくとも１つのばねを備える。このばねは、特にリフトと一体式の弾性羽根とすることができる。より具体的には、全てのリフトはそのようなばねを備える。
【００６４】
図８の特定の構成では、計時器１００は、オルゴールである。
【００６５】
図７及び図８の特定の構成では、計時器１００は、時計である。
【００６６】
本発明は、メロディの選択を可能にするが、単一のゴングの選択も可能にする。
【００６７】
したがって、本発明は、ユーザがメロディ、又は特定の鐘を実施するゴングを選択することを可能にする。同様の選択は、計時器１００のムーブメント３０によっても直接的に可能である。例えば、ムーブメントは、午前（ＡＭ）のための第１の打鐘メロディ、及び午後（ＰＭ）のための別の打鐘メロディを制御するか、又は鐘を連続する２日間にわたり区別することもでき、更には第１の時間帯の第１の鐘の演奏を、第２の時間帯の別の鐘を起動させる前に起動させることができる。適用例には制限がなく、特定の組合せの鐘及び／又はゴングを有するそのような聴覚表示器は、ユーザにとって、天体時計若しくは時間帯時計又は同様の時計上で読取りが困難であることがある視覚表示器よりも、ユーザにとって有意義なものとすることができる。
【００６８】
構成する機構は、小型である。
【００６９】
本発明は、牽引モードで機能する構成要素のみを備え、座屈モードで機能する構成要素は備えない。
【００７０】
本発明は、既存の聴覚表示機構を修正することにも適しており、異なる形状の場合でも容易に変換可能であり、特に、操作棒は、計時器内で利用可能な空間に適合させることができ、操作棒の運動は、リフトの制御機能を変更せずに回転又は並進状態にすることができる。
【符号の説明】
【００７１】
１  制御リフト
２  ハンマ
１０  聴覚表示機構
２０  制御機構
２１  制御部
３０  計時器ムーブメント
４０  手動制御部
４５  作動器
５０  メロディ選択デバイス
１００  打鐘計時器
【図１】
2017049248.tif 000003
【図２】
2017049248.tif 000004
【図３】
2017049248.tif 000005
【図４】
2017049248.tif 000006
【図５】
2017049248.tif 000007
【図６】
2017049248.tif 000008
【図７】
2017049248.tif 000009
【図８】
2017049248.tif 000010